(57)【特許請求の範囲】
【請求項１】
複数のパネルを屈伸自在に連結して構成され開口部を開閉するシャッタカーテンを具備するパネルシャッタ装置に於いて、開閉動作に伴うパネル間の屈伸によりパネルシャッタ装置の開閉数を測定することを特徴とするパネルシャッタ装置の開閉数測定方法。
【請求項２】
複数のパネルを屈伸自在に連結して構成され開口部を開閉するシャッタカーテンを具備するパネルシャッタ装置に於いて、隣接するパネルの一方にカウンタが設けられ、隣接するパネル間の相対回転変位により前記カウンタを動作させる様にした開閉数測定装置を具備したことを特徴とするパネルシャッタ装置。
【請求項３】
前記カウンタはレバーの回動により動作するカウントメータを具備し、前記レバーは他方のパネルの相対回転により回動される請求項２のパネルシャッタ装置。
【請求項４】
前記カウンタはプランジャの押込み又は突出で動作するカウントメータを具備し、前記プランジャは他方のパネルの相対回転により押込み又は突出される請求項２のパネルシャッタ装置。
【請求項５】
前記他方のパネルに前記レバーと係合するレバー受けが設けられ、前記他方のパネルの相対回転は前記レバー受けを介して前記レバーに伝達され、前記レバー受けは前記レバーと当接する係止片を具備し、該係止片は前記他方のパネルの相対回転時の前記レバーとの当接位置を変更可能とした請求項３のパネルシャッタ装置。
【発明の詳細な説明】
【技術分野】
【０００１】
本発明は、建屋等の構築構造物の出入口等の開口部、或は車両のコンテナ、荷台の開口部等を開閉する開閉手段としてのパネルシャッタ装置、及び該パネルシャッタ装置に於いて開閉数を測定する方法及び開閉数を測定可能なパネルシャッタ装置に関するものである。
【背景技術】
【０００２】
シャッタ装置としては、例えば、所要数のパネルを屈伸自在に連結して構成されたシャッタカーテンを有し、該シャッタカーテンで開口部を開閉するパネルシャッタ装置がある。
【０００３】
斯かるパネルシャッタ装置に於いて、定期的、或は使用状態に応じて保守、点検作業が行われるが、保守、点検作業でパネルシャッタ装置の使用状態を知ることは、保守、点検の間隔や時期を決定する上で、又保守、点検作業の内容を決定する上で重要であり、パネルシャッタ装置には開閉数を測定する開閉数測定装置が設けられている。
【０００４】
開閉数測定装置としては、従来特許文献１に示されるものがある。
【０００５】
パネルシャッタ装置には施錠装置が設けられ、該施錠装置としてシャッタカーテンをガイドするガイドレールの下部に施錠の為の係合部材が設けられ、前記シャッタカーテンの下部に位置するパネルに前記係合部材に嵌脱可能な係止部材が設けられ、該係止部材は前記ガイドレール側にスプリングにより付勢されている。
【０００６】
前記シャッタカーテンの下方への動きを利用して、該シャッタカーテンが完全に閉鎖された状態で前記係止部材が前記係合部材に嵌合し、嵌合状態が前記スプリングによって保持される様になっている。又、前記シャッタカーテンを開放する場合は、手動等により前記係止部材と前記係合部材との嵌合を解除し、前記シャッタカーテンを上昇させる様にしている。
【０００７】
特許文献１に示される開閉数測定装置では、シャッタカーテンとガイドレールに設けられた係合部材との相対移動を利用して、シャッタカーテンの開閉回数を測定する様になっている。
【０００８】
前記係止部材の近傍に、カウンタが設けられ、該カウンタは回動自在な棒状のアクチュエータを有し、該アクチュエータの回動をカウントするものであり、前記シャッタカーテンの開閉の度に前記アクチュエータが前記係合部材に当接して回動し、前記シャッタカーテンの開閉数が測定される様になっている。
【０００９】
上記した従来の開閉数測定装置は、ガイドレールとシャッタカーテンとの間に設けられ、前記ガイドレールと前記シャッタカーテンとの相対移動を利用して、開閉の回数を測定しているので、前記ガイドレールに障害物検知器、落下防止装置等の付属物を設置した場合、シャッタカーテンの開閉動作に伴ってこれら付属物と前記アクチュエータが干渉することがあり、付属物の設置、開閉数測定装置の設置に制限が生じる虞れがあった。
【００１０】
又、パネルシャッタ装置の使用状態としては、全開／全閉ではなく、全閉／半開き、全開／一部閉鎖等の使用態様も考えられるが、従来の開閉数測定装置では、全閉からシャッタカーテンが少しでも開放されると１回と測定され、全閉に至らない状態で開閉が繰返されても、回数が加算されない。この為、従来の開閉数測定装置では開閉数測定装置による測定回数が必ずしもパネルシャッタ装置の使用状態を反映しているとは言えない場合があった。
【００１１】
【特許文献１】特開２００５−１０７９２７
【発明の開示】
【発明が解決しようとする課題】
【００１２】
本発明は斯かる実情に鑑み、ガイドレール側に障害物検知器、落下防止装置等の付属物の設置が可能であり、又全開／全閉、全閉／半開き、全開／一部閉鎖等の多様な使用状態でもシャッタカーテンの開閉数を極力正確に測定可能とするパネルシャッタ装置の開閉数測定方法及びその装置を提供するものである。
【課題を解決するための手段】
【００１３】
本発明は、複数のパネルを屈伸自在に連結して構成され開口部を開閉するシャッタカーテンを具備するパネルシャッタ装置に於いて、開閉動作に伴うパネル間の屈伸によりパネルシャッタ装置の開閉数を測定するパネルシャッタ装置の開閉数測定方法に係るものである。
【００１４】
又本発明は、複数のパネルを屈伸自在に連結して構成され開口部を開閉するシャッタカーテンを具備するパネルシャッタ装置に於いて、隣接するパネルの一方にカウンタが設けられ、隣接するパネル間の相対回転変位により前記カウンタを動作させる様にした開閉数測定装置を具備したパネルシャッタ装置に係り、又前記カウンタはレバーの回動により動作するカウントメータを具備し、前記レバーは他方のパネルの相対回転により回動されるパネルシャッタ装置に係り、又前記カウンタはプランジャの押込み又は突出で動作するカウントメータを具備し、前記プランジャは他方のパネルの相対回転により押込み又は突出されるパネルシャッタ装置に係り、又前記他方のパネルに前記レバーと係合するレバー受けが設けられ、前記他方のパネルの相対回転は前記レバー受けを介して前記レバーに伝達され、前記レバー受けは前記レバーと当接する係止片を具備し、該係止片は前記他方のパネルの相対回転時の前記レバーとの当接位置を変更可能としたパネルシャッタ装置に係るものである。
【発明の効果】
【００１５】
本発明によれば、複数のパネルを屈伸自在に連結して構成され開口部を開閉するシャッタカーテンを具備するパネルシャッタ装置に於いて、開閉動作に伴うパネル間の屈伸によりパネルシャッタ装置の開閉数を測定するので、シャッタカーテンの開閉数を極力正確に測定可能であり、保守、点検作業に必要なパネルシャッタ装置の使用状態についての情報を得ることができる。
【００１６】
又本発明によれば、複数のパネルを屈伸自在に連結して構成され開口部を開閉するシャッタカーテンを具備するパネルシャッタ装置に於いて、隣接するパネルの一方にカウンタが設けられ、隣接するパネル間の相対回転変位により前記カウンタを動作させる様にした開閉数測定装置を具備したので、該開閉数測定装置はガイドレールに関係なく設けられ、該ガイドレール側に障害物検知器、落下防止装置等の付属物の設置が可能である。
【００１７】
又本発明によれば、前記カウンタはレバーの回動により動作するカウントメータを具備し、前記レバーは他方のパネルの相対回転により回動され、又前記カウンタはプランジャの押込み又は突出で動作するカウントメータを具備し、前記プランジャは他方のパネルの相対回転により押込み又は突出され、又前記他方のパネルに前記レバーと係合するレバー受けが設けられ、前記他方のパネルの相対回転は前記レバー受けを介して前記レバーに伝達され、前記レバー受けは前記レバーと当接する係止片を具備し、該係止片は前記他方のパネルの相対回転時の前記レバーとの当接位置を変更可能としたので、設置の対象となるパネルシャッタ装置の形状、作動状態の変化に対してもより適正な開閉数測定装置の設置が可能となる等の優れた効果を発揮する。
【発明を実施するための最良の形態】
【００１８】
以下、図面を参照しつつ本発明を実施する為の最良の形態を説明する。
【００１９】
先ず、図１に於いて本発明が実施されるパネルシャッタ装置、例えばオーバヘッドドア装置の概略を説明する。
【００２０】
建屋等の躯体の開口部１の両側柱２に沿って、縦ガイドレール３が設けられ、天井に沿って横ガイドレール４が設けられ、前記縦ガイドレール３と前記横ガイドレール４とは湾曲レール５によって連結されている。前記縦ガイドレール３の上方には水平な巻取りシャフト６等が設けられている。
【００２１】
前記縦ガイドレール３、前記湾曲レール５、前記横ガイドレール４に沿ってシャッタカーテン８がスライド可能となっており、該シャッタカーテン８は所要数のパネル９が屈伸自在に連結されて構成されている。
【００２２】
前記巻取りシャフト６はブラケット１４を介し躯体側（図示では側柱２）に回転自在に設けられている。前記巻取りシャフト６の両端部にはドラム１１が設けられ、該ドラム１１に巻付けられたワイヤ１２が前記シャッタカーテン８の下端部に係着されている。又、前記巻取りシャフト６にはバランススプリング１３が設けられ、該バランススプリング１３は前記ワイヤ１２を介して前記シャッタカーテン８を上昇方向に付勢している。
【００２３】
前記開口部１が開かれる場合は、前記巻取りシャフト６を介し前記ドラム１１が回転されることで前記ワイヤ１２が巻取られ、前記シャッタカーテン８が前記縦ガイドレール３に沿って引上げられ、更に前記横ガイドレール４に格納される様になっている。
【００２４】
又、前記開口部１が閉じられる場合は、前記巻取りシャフト６を介して前記ドラム１１が逆方向に回転され、前記ワイヤ１２が繰出されて前記シャッタカーテン８が降下され、前記開口部１が閉じられる。
【００２５】
前記バランススプリング１３には捩りコイルバネが使用され、該バランススプリング１３が所定量回転され初期トルクが付与された状態で取付けられ、前記巻取りシャフト６に巻取り方向の回転力を付勢する様になっている。前記シャッタカーテン８には前記ワイヤ１２を介して上昇力が付勢され、前記シャッタカーテン８を開閉する際の動力が軽減されている。
【００２６】
次に、図２〜図６に於いて、本発明の第１の実施の形態を説明する。
【００２７】
図２〜図６中、図１中で示したものと同等のものには同符号を付してある。
【００２８】
本発明では、上下に隣接するパネル９ａ，９ｂ間に開閉数測定装置１５が設けられ、シャッタカーテン８（図１参照）の開閉時にパネル９が湾曲レール５を通過する際に、上下のパネル９ａ，９ｂ間に生じる相対角度変位を利用して前記シャッタカーテン８の開閉回数を測定する。
【００２９】
尚、前記開閉数測定装置１５が設けられる位置は、オーバヘッドドア装置の使用態様に応じて選択される。例えば、オーバヘッドドア装置の使用態様が、全閉／全開に限られる様な場合は、シャッタカーテン８の上部に位置するパネル９ａ，９ｂ間に設けられ、オーバヘッドドア装置の使用態様が、全閉／全開と共に一部閉鎖を伴う場合は、一部閉鎖状態で開閉数測定装置１５が作動する様に、シャッタカーテン８の中間部或は下部に位置するパネル９ａ，９ｂ間に設けられる。
【００３０】
前記パネル９ａの上端部屋内側にカウンタ支持部材１６が固着される。該カウンタ支持部材１６のカウンタ取付け面１７は前記パネル９ｂと干渉しない様に、オーバハングして該パネル９ｂ側に延出しており、前記カウンタ取付け面１７にカウンタ１８が取付けられる。
【００３１】
該カウンタ１８はアクチュエータとして回動可能なレバー１９を有しており、該レバー１９の１回の回動により内部のカウンタメータ２１を１回ずつ加算する様になっており、該カウンタメータ２１は表示窓を通して確認可能となっている。
【００３２】
前記パネル９ｂの下端部屋内側にはレバー受け２２が固着され、該レバー受け２２は前記パネル９ｂに対して垂直な舌片部２３を有し、該舌片部２３には前記パネル９ｂに対して垂直な係合溝２４が形成され、該係合溝２４を挾んで固定孔２５，２６，２７，２８が所要対（図示では４対）穿設され、前記係合溝２４を横切る係止片２９が前記固定孔２５，２６，２７，２８のいずれか一対の固定孔を介して螺子等の固着具により固定される様になっている。尚、前記係止片２９に穿設される固定孔３１は前記係止片２９を前記係合溝２４に沿って位置を調整可能な様に長孔となっている。従って、前記係止片２９は前記固定孔２５，２６，２７，２８のいずれか一対の固定孔で固定可能であると共に各固定孔それぞれに対して長孔分だけ位置が調整可能となっている。
【００３３】
前記係合溝２４には前記レバー１９が自在に移動可能に係合し、前記パネル９ａ，９ｂが真直状態で前記レバー１９は前記係合溝２４から外れない様な関係となっている（図３参照）。
【００３４】
以下、前記開閉数測定装置１５の作用について、例えば、前記シャッタカーテン８を閉鎖した場合について説明する。
【００３５】
前記開閉数測定装置１５が設けられている前記パネル９ａ，９ｂが前記湾曲レール５を通過すると、前記パネル９ａ，９ｂが屈曲し、該パネル９ａ，９ｂ間で相対回転変位を生じる。前記レバー受け２２は図２、図３中時計方向に回転する。前記レバー１９は前記係合溝２４を前記パネル９ｂに向って相対移動し、前記係止片２９に突当る。該係止片２９は前記パネル９ａ，９ｂの屈曲に伴い前記レバー１９を時計方向に回転し、前記カウンタメータ２１を動作させる。
【００３６】
前記パネル９ａ，９ｂが前記縦ガイドレール３に移動すると、前記レバー１９は前記係止片２９から離れ、非作動の位置に復帰する。
【００３７】
而して、前記パネル９ａ，９ｂが前記湾曲レール５を通過する毎に、前記カウンタメータ２１が１回数をカウントし、前記シャッタカーテン８の開閉回数が積算される。尚、前記開閉数測定装置１５の取付け位置によっては、前記シャッタカーテン８の開閉によって前記開閉数測定装置１５は前記湾曲レール５を往復でカウントするので、積算回数を２で割ったものが実際の開閉数となる。
【００３８】
尚、前記パネル９ａ，９ｂの相対回転時の前記レバー１９と前記係止片２９の当接位置、該係止片２９による前記レバー１９の回転量は、パネルシャッタ装置の設置状態、前記湾曲レール５の曲率半径によって変化するので、前記係止片２９を取付ける前記固定孔２５，２６，２７，２８を選択することによって、更に前記固定孔３１の範囲で前記係止片２９を移動させ、最適な係止片２９の位置を求める。
【００３９】
又、前記開閉数測定装置１５を複数、例えば前記シャッタカーテン８の下部と上部の２箇所に設けてもよい。該シャッタカーテン８の下部と上部の２箇所に設けることで、全開をせず部分的な開閉を行えば上部の開閉数測定装置１５のみが開閉回数を測定し、又全閉をせず部分的な開閉を行えば下部の開閉数測定装置１５のみが開閉回数を測定するので、上部と下部の開閉数測定装置１５，１５の開閉数の比較により、開閉回数だけでなく、どの様な態様でパネルシャッタ装置の開閉が行われたかを推察することができる。
【００４０】
更に、中間部に開閉数測定装置１５を適宜設ければ、開閉頻度と共にどの程度の開口範囲で開閉が行われたかも推察が可能であり、シャッタカーテンの部分的な消耗等についての判断材料とすることもできる。
【００４１】
又、上記実施の形態で、前記カウンタ支持部材１６、前記カウンタ１８を上側のパネル９ｂに設け、前記レバー受け２２を下側のパネル９ａに設けてもよい。
【００４２】
更に又、前記開閉数測定装置１５は前記シャッタカーテン８の開閉でガイドレールとは無関係に設置可能で、他の付属物と干渉することがなく、既存のパネルシャッタ装置に対しても簡単に後付けが可能である。
【００４３】
図７は第２の実施の形態を示すものであり、レバー受け２２を省略し、レバー１９を直接パネル９ｂに当接させる様にしたものである。この場合、前記レバー１９の先端部１９ａの形状をパネルシャッタ装置の設置状態に応じて適宜変更する。図示では、Ｌ字状に形成している。又、前記先端部１９ａと前記パネル９ｂの位置調整は、カウンタ１８の回転軸１８ａに対する前記レバー１９の取付け角度を変更することによって調整が可能である。
【００４４】
図８は第３の実施の形態を示しており、該第３の実施の形態では、プッシュ式のカウンタ１８、アクチュエータとして突出方向に付勢されたプランジャ３５を具備し、該プランジャ３５が押込まれることで、或は該プランジャ３５が一端押込まれ復帰することでカウンタメータ２１（図６参照）が回数をカウントする様になっている。
【００４５】
パネル９ａの内部上端に前記カウンタ１８が取付けられ、前記プランジャ３５が上方に突出する状態となっている。
【００４６】
第３の実施の形態に於いて、前記パネル９ａ，９ｂが湾曲レール５を通過した場合の、前記パネル９ａ，９ｂ間の回転変位は前記パネル９ａの上端面３６と前記パネル９ｂの下端面３７の接触離反として現れる。前記上端面３６と前記下端面３７が接触することで前記プランジャ３５が押込まれ、前記上端面３６と前記下端面３７が離反することで前記プランジャ３５が突出する。従って、前記パネル９ａ，９ｂの相対回転で、前記プランジャ３５の突出、押込みが行われ、カウンタメータ２１（図６参照）で開閉回数の積算が行われる。
【００４７】
尚、開閉数測定装置１５は前記パネル９ａ，９ｂの相対回転変位を利用するものであればよく、例えば該パネル９ａ，９ｂ間を屈伸自在に連結する連結軸を一方のパネルに固定し、他方のパネルに対しては回転自在とすると、前記パネル９ａ，９ｂの屈曲時に、連結軸に対して該パネル９ａ，９ｂ間で相対回転が生じる。従って、例えば前記連結軸とカウンタ１８の回転軸１８ａとを連結し、前記連結軸に対する相対回転変位を利用して前記カウンタ１８を作動させる様にしてもよい。
【００４８】
或は、前記上端面３６、前記下端面３７のいずれか一方に、押圧により生じる抵抗の変化で押圧状態を検出する押圧センサを設け、該押圧センサの抵抗検出により前記パネル９ａ，９ｂの屈曲、即ち前記シャッタカーテン８の開閉を検出する様にしてもよい。
【００４９】
又、電気的に検出する他の例として、押圧センサに代えマイクロスイッチやマグネットスイッチ等を使用してもよい。
【図面の簡単な説明】
【００５０】
【図１】本発明が実施されるパネルシャッタ装置の一例であるオーバヘッドドア装置の概略斜視図である。
【図２】本発明の第１の実施の形態を示す要部側面図である。
【図３】第１の実施の形態の要部拡大図である。
【図４】第１の実施の形態に使用されるレバー受けの平面図である。
【図５】第１の実施の形態に使用されるレバー受けの側断面図である。
【図６】第１の実施の形態に使用される開閉数測定装置の斜視図である。
【図７】本発明の第２の実施の形態を示す要部側面図である。
【図８】本発明の第３の実施の形態を示す要部側面図である。
【符号の説明】
【００５１】
１              開口部
５              湾曲レール
８              シャッタカーテン
９              パネル
１５            開閉数測定装置
１６            カウンタ支持部材
１８            カウンタ
１９            レバー
２１            カウンタメータ
２２            レバー受け
２４            係合溝
２９            係止片
３５            プランジャ
【図１】
0004817922.tif 000002
【図２】
0004817922.tif 000003
【図３】
0004817922.tif 000004
【図４】
0004817922.tif 000005
【図５】
0004817922.tif 000006
【図６】
0004817922.tif 000007
【図７】
0004817922.tif 000008
【図８】
0004817922.tif 000009